(57)【要約】【課題】撮像装置の消費電力を削減する。【解決手段】デジタルカメラは撮影待機中にスルー画像を液晶モニタに表示する。通常時ＡＦＥは高周波数のフレーム信号に対応した撮像素子駆動信号を撮像素子に送信する（ステップＳ１０４）。撮像素子は高周波数のフレーム信号に対応した撮像素子駆動信号を受信することにより１／３０秒ごとに被写体像を撮像する。撮像素子は被写体像に相当する画像信号を生成する。ズームレンズを動かすための操作コマンドを検出するとき（ステップＳ１０５）、ＡＦＥは低周波数のフレーム信号に対応した撮像素子駆動信号を撮像素子に送信する（ステップＳ１０６）。撮像素子は低周波数のフレーム信号に対応した撮像素子駆動信号を受信することにより１／１５秒ごとに被写体像を撮像する。【選択図】図２
2007228015.tif 000002
【特許請求の範囲】
【請求項１】
複数の機能を実行可能な撮像装置に設けられる撮像素子を制御する撮像素子制御ユニットであって、
前記複数の機能の中で、予め定められた所定の機能が実行されていることを検出する検出部と、
前記所定の機能が実行されていることを検出する検出期間より前又は前記検出期間より後において前記撮像素子に被写体を第１の間隔で撮像させ、前記検出期間には前記撮像素子に前記被写体を前記第１の間隔より長い第２の間隔で撮像させる撮像素子駆動部とを備える
ことを特徴とする撮像素子制御ユニット。
【請求項２】
前記撮影光学系は複数の光学系を有し、前記所定の機能が前記撮影光学系の焦点距離を変更するために前記複数の光学系を光軸方向に沿って移動させることであることを特徴とする請求項１に記載の撮像素子制御ユニット。
【請求項３】
前記所定の機能が、前記被写体の光学像を前記撮像素子の受光面に合焦させるためのフォーカスレンズを予め定められる原点位置へ移動させることであることを特徴とする請求項１に記載の撮像素子制御ユニット。
【請求項４】
前記所定の機能が、手ブレにより前記撮像素子の受光面における前記被写体の光学像の結像位置のズレを打ち消すための防振機構を予め定められる原点位置へ移動させることであることを特徴とする請求項１に記載の撮像素子制御ユニット。
【請求項５】
前記撮像装置に特定の機能を実行させるための操作入力部への切替え停止コマンド入力により、前記撮像素子駆動部は前記撮像素子に前記第１の間隔での撮像を続行させることを特徴とする請求項１〜請求項４のいずれか１項に記載の撮像素子制御ユニット。
【請求項６】
複数の機能を実行可能なデジタルカメラであって、
被写体を撮像する撮像素子と、
前記複数の機能の中で、予め定められた所定の機能が実行されていることを検出する検出部と、
前記所定の機能が実行されていることを検出する検出期間より前又は前記検出期間より後において前記撮像素子に被写体を第１の間隔で撮像させ、前記検出期間には前記撮像素子に前記被写体を前記第１の間隔より長い第２の間隔で撮像させる撮像素子駆動部とを備える
ことを特徴とするデジタルカメラ。
【発明の詳細な説明】
【技術分野】
【０００１】
本発明は、デジタルカメラなどの撮像装置に設けられる撮像素子の駆動を制御する撮像素子制御ユニット及びデジタルカメラに関する。
【背景技術】
【０００２】
デジタルカメラでは、被写体を撮像することにより撮像した画像に相当する電子データが生成され、保存される。電子データの生成及び保存動作には、電力が消費される。また、デジタルカメラには所定の機能が設けられており、これらの機能の一部の動作の実行にも電力が消費されている。
【０００３】
これらのデジタルカメラの携帯時に動作に用いる電力は充電池により供給される。充電池に蓄積可能な電気エネルギーは有限である。従って、充電池の電気エネルギーを使い切った場合には、被写体の撮像を含む多様な機能を実行させることが出来なかった。
【発明の開示】
【発明が解決しようとする課題】
【０００４】
したがって、本発明では消費電力を削減させる撮像素子制御ユニット及びデジタルカメラの提供を目的とする。
【課題を解決するための手段】
【０００５】
本発明の撮像素子制御ユニットは、複数の機能を実行可能な撮像装置に設けられる撮像素子を制御する撮像素子制御ユニットであって、複数の機能の中で予め定められた所定の機能が実行されていることを検出する検出部と、所定の機能が実行されていることを検出する検出期間より前又は検出期間より後において撮像素子に被写体を第１の間隔で撮像させ検出期間には撮像素子に被写体を第１の間隔より長い第２の間隔で撮像させる撮像素子駆動部とを備えることを特徴としている。
【０００６】
さらに、所定の機能が撮影光学系の焦点距離を調整するためのズームレンズを光軸方向に沿って移動させることであることが好ましい。
【０００７】
また、所定の機能が被写体の光学像を撮像素子の受光面に合焦させるためのフォーカスレンズを予め定められる原点位置へ移動させることであることが好ましい。
【０００８】
また、所定の機能が手ブレにより撮像素子の受光面における被写体の光学像の結像位置のズレを打ち消すための防振機構を予め定められる原点位置へ移動させることであることが好ましい。
【０００９】
また、撮像装置に特定の機能を実行させるための操作入力部への切替え停止コマンド入力により、撮像素子駆動部は撮像素子に第１の間隔での撮像を続行させることが好ましい。
【００１０】
本発明のデジタルカメラは、複数の機能を実行可能なデジタルカメラであって、被写体を撮像する撮像素子と、複数の機能の中で予め定められた所定の機能が実行されていることを検出する検出部と、所定の機能が実行されていることを検出する検出期間より前又は前記検出期間より後において撮像素子に被写体を第１の間隔で撮像させ検出期間には撮像素子に被写体を第１の間隔より長い第２の間隔で撮像させる撮像素子駆動部とを備えることを特徴としている。
【発明の効果】
【００１１】
本発明によれば、デジタルカメラの所定の機能を実行している間に撮影間隔を長期化するので、デジタルカメラにおける消費電力の削減が可能である。
【発明を実施するための最良の形態】
【００１２】
以下、本発明の実施形態について図面を参照して説明する。
図１は、本発明の一実施形態を適用した撮像素子制御ユニットを有するデジタルカメラの内部構成を概略的に示すブロック図である。
【００１３】
デジタルカメラ１０は、撮影光学系１１、撮像素子１２、ＡＦＥ（Ａｎａｌｏｇ  Ｆｒｏｎｔ  Ｅｎｄ）１３、ＤＳＰ（Ｄｉｇｉｔａｌ  Ｓｉｇｎａｌ  Ｐｒｏｃｅｓｓｏｒ）１４、操作入力部１５、防振機構１６、防振機構駆動部１７、ズーム駆動部１８、及びフォーカス駆動部１９等によって構成される。
【００１４】
撮影光学系１１は、撮像素子１２に光学的に接続される。撮影光学系１１を透過する被写体の光学像が撮像素子１２の受光面に入射される。撮像素子１２は、例えばＣＣＤである。受光面において被写体の光学像が受光されることにより、光学像に相当する画像信号が生成される。
【００１５】
撮影光学系１１は、変倍レンズ１１ａやフォーカスレンズ１１ｂなどの複数のレンズにより構成される。変倍レンズ１１ａ及びフォーカスレンズ１１ｂは光軸方向に移動自在である。変倍レンズ１１ａとフォーカスレンズ１１ｂとによってズーム光学系が形成されており、両者を相対的に移動させることにより撮影光学系１１の焦点距離を調整可能である。フォーカスレンズ１１ｂを移動させることにより被写体像を撮像素子１２の受光面に合焦させることが出来る。
【００１６】
変倍レンズ１１ａとフォーカスレンズ１１ｂがズーム駆動部１８に駆動されることにより撮影光学系１１の焦点距離が調整される。また、フォーカスレンズ１１ｂがフォーカス駆動部１９に駆動されることにより、被写体像の合焦が実行される。
【００１７】
撮影光学系１１と撮像素子１２の間には、絞り２０とシャッタ２１とが配置される。絞り２０の開度を調整することにより、撮像素子１２の受光面に入射する光の照度が調整される。シャッタ２１の開閉により被写体光束の通過と遮光が切替えられる。絞り２０は絞り駆動部２２によって駆動され、開度調整が行なわれる。シャッタ２１はシャッタ駆動部２３によって駆動され、開閉が実行される。
【００１８】
撮像素子１２は、ＡＦＥ１３を介してＤＳＰ１４に接続される。ＤＳＰ１４からＡＦＥ１３にクロック信号が出力される。ＡＦＥ１３は、クロック信号に基づいてフレーム信号及び撮像素子駆動信号を生成する。撮像素子駆動信号は撮像素子１２に送信される。撮像素子１２は撮像素子駆動信号により駆動され、フレーム信号に対応した画像信号を生成する。
【００１９】
撮像素子１２は、防振機構１６に保持される。防振機構１６は、カメラ固定部（図示せず）と撮像素子保持部（図示せず）とによって形成される。カメラ固定部はデジタルカメラ１０内に固定される。撮像素子保持部に撮像素子１２は保持される。
【００２０】
撮像素子保持部は撮影光学系１１の光軸に垂直な平面に沿って移動自在である。従って、撮像素子１２も撮影光学系１１の光軸に垂直な平面に沿って移動自在である。防振機構駆動部１７が防振機構１６を駆動することによって、撮像素子保持部は光軸に垂直な平面上で移動する。
【００２１】
防振機構駆動部１７には、ブレ量検出センサ（図示せず）が設けられる。ブレ量検出センサにより、デジタルカメラ１０のブレ量が検出される。防振機構駆動部１７では、撮像素子保持部を検出されたブレ量の反対方向に移動させる。操作者の手ブレにより撮像素子１２の受光面における被写体の光学像の結像する位置がずれるが、前述のように撮像素子保持部を介して撮像素子１２を移動させることにより、結像位置のズレを打ち消すことが可能である。
【００２２】
なお、ズーム駆動部１８、フォーカス駆動部１９、絞り駆動部２２、シャッタ駆動部２３、及び防振機構駆動部１７は、ＤＳＰ１４に接続され、それぞれの動作は、ＤＳＰ１４によって制御される。
【００２３】
生成した画像信号はＡＦＥ１３に送信される。画像信号はＡＦＥ１３において相関二重サンプリング、ゲイン調製、及びＡ／Ｄ変換が施され、画像データに変換される。画像データはＤＳＰ１４に送信される。
【００２４】
ＤＳＰ１４には、信号処理の作業用のメモリであるＤＲＡＭ（Ｄｙｎａｍｉｃ  Ｒａｎｄｏｍ  Ａｃｃｅｓｓ  Ｍｅｍｏｒｙ）２４が接続される。ＤＳＰ１４に送信された画像データは、ＤＲＡＭ２４に一時格納される。ＤＳＰ１４により、ＤＲＡＭ２４に格納された画像データに対して所定のデータ処理が施される。
【００２５】
ＤＳＰ１４には、液晶モニタ２５が接続される。所定のデータ処理が施された画像データは、液晶モニタ２５に送信される。送信された画像データに相当する画像が液晶モニタ２５に表示可能である。
【００２６】
また、ＤＳＰ１４には、外部カードインターフェース２６が接続される。後述するレリーズ動作を実行するときに、所定の信号処理の施された画像データは外部カードインターフェース２６に接続されるカード型メモリ（図示せず）に格納される。
【００２７】
また、ＤＳＰ１４には、デジタルカメラ１０を操作するためのコマンド入力を行なうための操作入力部１５が接続される。操作入力部１５は、電源ボタン（図示せず）、ズームボタン（図示せず）、レリーズボタン（図示せず）などによって構成される。操作者による操作入力部１５へのコマンド入力に応じて、ＤＳＰ１４はデジタルカメラ１０の各部位に必要な動作を行なわせる。
【００２８】
電源ボタンの押下により、デジタルカメラ１０の電源のＯＮ／ＯＦＦが切替えられる。デジタルカメラ１０の電源がＯＮになると、デジタルカメラ１０の各部位が起動される。
【００２９】
電源がＯＮになると、撮像素子１２が駆動され被写体像の撮像が開始される。後述するように、撮像された被写体が液晶モニタ２５に表示され、デジタルカメラ１０は撮影待機状態となる。
【００３０】
また、電源がＯＮに切替わるとき、ズーム駆動部１８及びフォーカス駆動部１９は変倍レンズ１１ａ及びフォーカスレンズ１１ｂをそれぞれに定められている起動時原点位置に移動させる。なお、変倍レンズ１１ａ及びフォーカスレンズ１１ｂは、電源がＯＦＦの間は収納位置にある。
【００３１】
また、電源がＯＮに切り替わるとき、防振機構駆動部１７は撮像素子保持部を予め定められる原点位置に移動させることにより、撮像素子１２を予め定められた原点位置に移動させる。なお、撮像素子１２の原点位置は撮像素子１２の受光面と撮影光学系１１の光軸との交点であり、撮像素子１２の受光面の中心が原点位置に一致するように動かされる。なお、撮像素子１２は、電源がＯＦＦの間は収納位置にある。
【００３２】
ズームボタンを押下している間、ズーム駆動部１８は変倍レンズ１１ａとフォーカスレンズ１１ｂとを光軸方向に沿って移動させる。前述のように、変倍レンズ１１ａとフォーカスレンズ１１ｂとを光軸方向に沿って相対距離を変化させて移動させることにより、撮影光学系１１の焦点距離が調整される。
【００３３】
撮影待機中に、レリーズボタンを半押しすることにより露出調整及び合焦動作が実行される。すなわち、露出調整において絞り２０の開度、シャッタスピード調整、及びＤＳＰ１４におけるゲイン調整が行なわれ、合焦動作においてフォーカスレンズ１１ｂの位置調整が行われる。また、レリーズボタンを全押しすることにより、シャッタ２１の開閉、撮像素子１２による撮像、及びカード型メモリへの画像データの格納が行なわれる。
【００３４】
次に、撮影待機状態におけるＤＳＰ１４により実行される動作の制御について説明する。撮影待機状態では、液晶モニタ２５にスルー画像が表示される。スルー画像とは、撮像素子１２に受光される被写体像のリアルタイム画像である。
【００３５】
撮影待機状態では、ＤＳＰ１４からＡＦＥ１３に、周波数が３６Ｍｈｚのクロック信号が送信される。ＡＦＥ１３は３６Ｍｈｚのクロック信号を受信するときに、周波数が３０Ｈｚのフレーム信号及び周波数が３０Ｈｚのフレーム信号に対応した撮像素子駆動信号を生成する。生成された撮像素子駆動信号が撮像素子１２に送られる。また、撮影モードに切替えるとき、シャッタ２１を開いたままにするように、ＤＳＰ１４はシャッタ駆動部２３の動作を制御する。
【００３６】
撮像素子１２では、撮像素子駆動信号に基づいて被写体の光学像の受光を開始し、１フレームの画像信号が生成される。なお、フレーム信号の周期と１フレームの画像信号の生成周期は同一であり、１／３０秒ごとに画像信号が生成される。
【００３７】
生成された画像信号は、順次ＡＦＥ１３を介してＤＳＰ１４に送信される。前述のようにＤＳＰ１４は送信された画像信号に所定の信号処理を施した後、液晶モニタ２５に画像データとして送信する。従って液晶モニタ２５には１／３０秒ごとに更新される画像が、連続するスルー画像として表示される。
【００３８】
デジタルカメラ１０には省エネ機能が設けられる。省エネ機能をＯＦＦにしているときは、撮影待機状態においてＤＳＰ１４により前述のようなＡＦＥ１３の制御が行なわれる。省エネ機能をＯＮにすると、ＤＳＰ１４により以下のような制御が行なわれる。
【００３９】
前述のように撮影待機状態においては、通常１／３０秒ごとに被写体像を撮像することによりスルー画像が表示される。一方、ズーム駆動部１８による変倍レンズ１１ａ及びフォーカスレンズ１１ｂの移動中、変倍レンズ１１ａ及びフォーカスレンズ１１ｂの起動時原点位置への移動中、又は撮像素子１２の原点位置への移動中に、撮影間隔が通常の２倍となる１／１５秒ごとの被写体像の撮像によるスルー画像が液晶モニタ２５に表示される。
【００４０】
なお、ズーム駆動部１８による変倍レンズ１１ａ及びフォーカスレンズ１１ｂの移動、変倍レンズ１１ａ及びフォーカスレンズ１１ｂの起動時原点位置への移動、並びに撮像素子１２の原点位置への移動は、ＤＳＰ１４により検出される。例えば、ズーム駆動部１８による変倍レンズ１１ａ及びフォーカスレンズ１１ｂの移動は、ズームボタンを押下することによるコマンド入力によりＤＳＰ１４に検出される。両レンズの起動時原点位置への移動及び撮像素子１２の移動は、電源がＯＮになり各部位を起動させるときに検出される。
【００４１】
これらの移動がＤＳＰ１４に検出されると、１８Ｍｈｚのクロック信号がＤＳＰ１４からＡＦＥ１３に送信される。１８Ｍｈｚのクロック信号が送信されることによって、ＡＦＥ１３において１５Ｈｚのフレーム信号及び１５Ｈｚのフレーム信号に対応した撮像素子駆動信号が生成される。撮像素子駆動信号は撮像素子１２に送信される。従って、撮像素子１２による被写体像の撮像は、通常の半分の１／１５秒おきに行なわれる。
【００４２】
ズームレンズの移動後、フォーカスレンズ及びズームレンズの起動時原点位置への移動後、又は撮像素子１２の原点位置への移動後には、再び、送信されるクロック信号の周波数が３６Ｍｈｚに戻される。従って、撮像素子１２による被写体像の撮像が、１／３０秒おきの撮像に戻される。
【００４３】
次に、ＤＳＰ１４及びＡＦＥ１３によって、省エネ機能の実行のために行なわれる処理を、図２のフローチャートを用いて説明する。図２は省エネ機能を実行させるために行なわれる処理を説明するためのフローチャートである。
【００４４】
デジタルカメラ１０の電源をＯＮにしたときに本処理が開始される。また、本処理は、デジタルカメラ１０の電源がＯＦＦに切替えられまで繰返される。
【００４５】
ステップＳ１００において、デジタルカメラ１０の各部位を起動させる。例えば前述のように、変倍レンズ１１ａ及びフォーカスレンズ１１ｂの起動時原点位置への移動、及び防振機構１６に保持される撮像素子１２の原点位置への移動が開始される。
【００４６】
次のステップＳ１０１では、撮像素子１２の駆動が開始され、停止しない限り撮像素子１２は動作を継続する。なお、撮像素子１２の駆動は、変倍レンズ１１ａ及びフォーカスレンズ１１ｂや撮像素子１２の原点位置への移動と同時に開始されても良い。撮像素子１２の駆動はＡＦＥ１３から撮像素子駆動信号を送信することにより実行される。
【００４７】
ステップＳ１０１では、ＤＳＰ１４からＡＦＥ１３に１８Ｍｈｚのクロック信号が送信される。低周波数であるクロック信号を受信することにより、ＡＦＥ１３から撮像素子１２に低周波数の１５Ｈｚのフレーム信号に対応した撮像素子駆動信号が送信される。１５Ｈｚのフレーム信号に同期して、１／１５秒ごとに画像信号が生成される。生成された画像信号に対して所定の信号処理が施され、画像データが液晶モニタ２５に送信される。
【００４８】
１５Ｈｚのフレーム信号に対応した撮像素子駆動信号を送信することにより撮像素子１２の駆動を開始すると、次にステップＳ１０２に進む。ステップＳ１０２では、変倍レンズ１１ａ及びフォーカスレンズ１１ｂの起動時原点位置までの移動が終了しているか否かについての判定が行なわれる。
【００４９】
両レンズ１１ａ、１１ｂの起動時原点位置までの移動が終了している場合はステップＳ１０２に戻る。以後、両レンズ１１ａ、１１ｂの移動が終了するまでステップＳ１０２の処理が繰返される。両レンズ１１ａ、１１ｂの移動が終了すると、ステップＳ１０３に進む。
【００５０】
ステップＳ１０３では、防振機構１６における撮像素子１２の原点位置までの移動が終了しているか否かについての判定が行われる。撮像素子１２の移動が終了していない場合はステップＳ１０２に戻る。以後、撮像素子１２の移動が終了するまでステップＳ１０２、ステップＳ１０３の処理が繰返される。撮像素子１２の移動が終了すると、ステップＳ１０４に進む。
【００５１】
ステップＳ１０４では、ＤＳＰ１４からＡＦＥ１３に送信されるクロック信号の周波数が３６Ｍｈｚに切替えられる。高周波数であるクロック信号を受信することにより、ＡＦＥ１３から撮像素子１２に高周波数の３０Ｈｚのフレーム信号に対応した撮像素子駆動信号が送信される。３０Ｈｚのフレーム信号に同期して、１／３０秒ごとに画像信号が生成される。生成された画像信号に対して所定の信号処理が施され、画像データが液晶モニタ２５に送信される。
【００５２】
次のステップＳ１０５では、操作者によるズーム調整操作のコマンド入力があるか否かが判定される。ズーム調整操作のコマンド入力が無いときは、ステップＳ１０５に戻る。以後、ズーム調整操作のコマンド入力があるまでステップＳ１０５の処理が繰返される。ズーム調整操作のコマンド入力があるとステップＳ１０６に進む。
【００５３】
ステップＳ１０６では、ＤＳＰ１４からＡＦＥ１３に送信されるクロック信号の周波数が１８Ｍｈｚに切替えられる。低周波数であるクロック信号を受信することにより、ＡＦＥ１３から撮像素子１２に低周波数の１５Ｈｚのフレーム信号に対応した撮像素子駆動信号が送信される。１５Ｈｚのフレーム信号に同期して、１／１５秒ごとに画像信号が生成される。生成された画像信号に対して所定の信号処理が施され、画像データが液晶モニタ２５に送信される。
【００５４】
次のステップＳ１０７において、ズーム駆動部１８による変倍レンズ１１ａ及びフォーカスレンズ１１ｂの駆動が開始され撮影光学系１１の焦点距離が調整される。次のステップＳ１０８ではズーム調整操作のコマンド入力が解除されているか否かが判定される。ズーム調整操作のコマンド入力が解除されていないときは、ステップＳ１０７に戻る。以後、ズーム調整操作のコマンド入力が解除されるまで、ステップＳ１０７、ステップＳ１０８の処理が繰返される。ズーム調整操作のコマンド入力が解除されると、ステップＳ１０４に戻り、再び高周波数のフレーム信号に対応した撮像素子駆動信号が撮像素子１２に送信される。以後、同様の処理が繰返される。
【００５５】
以上のような構成である本実施形態の撮像素子制御ユニットによれば、特定の機能が実行されるときに、フレーム信号の周波数の低減化、すなわち撮影間隔の長期化が実行されるのでデジタルカメラ１０全体の電力の消費量を削減することが可能である。
【００５６】
ズーム駆動部１８による変倍レンズ１１ａ及びフォーカスレンズ１１ｂの移動時、変倍レンズ１１ａ又はフォーカスレンズ１１ｂの起動時限定位置への移動時、及び撮像素子１２の原点位置への移動時には、一般的に動解像度を高く保つ必要が無いため、フレーム信号の周波数を低くして撮像間隔を長くしても、デジタルカメラ１０の利便性を維持することは可能である。
【００５７】
また、特定の機能の実行が終了すると、フレーム信号の周波数が元に戻るので、デジタルカメラ１０の利便性を維持することが可能である。
【００５８】
また、省エネ機能をＯＦＦに切替えることにより、省エネ動作の実行を停止することが可能である。従って、ズーム操作をしているときにもスルー画像の視認を望む場合に、省エネ動作の実行を停止していれば、利便性が損なわれることは無い。
【００５９】
なお、本実施形態において、フレーム信号の周波数を高周波数から低周波数への切替えは、ズーム操作のための変倍レンズ１１ａ及びフォーカスレンズ１１ｂの移動時、変倍レンズ１１ａ及びフォーカスレンズ１１ｂの起動時原点位置への移動時、並びに撮像素子１２の原点位置への移動時に行われる。しかし、デジタルカメラ１０の機能の中で、当該機能を実行中に高い動解像度が必要とされない機能の実行中にフレーム信号の周波数を切替える構成であってもよい。例えば、当該機能の実行中に操作者がスルー画像を注視しないと考えられる機能や、フレーム信号のＨｉｇｈ／Ｌｏｗの切替えのタイミングと同期せずに実行される機能等が考えられる。
【００６０】
また、本実施形態では、ズーム操作時に、フレーム信号の周波数を下げた後に変倍レンズ１１ａ及びフォーカスレンズ１１ｂの移動を開始する構成であるが、両レンズ１１ａ、１１ｂの移動を開始した後にフレーム信号の周波数を下げる構成であっても良い。ただし、消費電力低減のためには、先に周波数を下げることが好ましい。
【００６１】
また、本実施形態では、デジタルカメラ１０の電源をＯＮにした直後に、変倍レンズ１１ａ及びフォーカスレンズ１１ｂの起動時原点位置への移動並びに撮像素子１２の原点位置への移動を行う構成であるが、撮影待機中にも行なえる構成であっても良い。このような構成では、それぞれの位置調整を行うための入力コマンドをＤＳＰ１４が検出するときに、フレーム信号の周波数を下げれば良い。
【００６２】
また、本実施形態では、防振機構１６に撮像素子１２を保持させる構成であったが、撮影光学系１１を構成するブレ補正レンズを保持させる構成であっても良い。手ブレ補正は撮像素子１２の移動だけでなく、ブレ補正レンズを移動させることによっても実行可能である。
【００６３】
また、本実施形態において液晶モニタ２５にスルー画像を表示する構成であるが、液晶モニタ以外の表示手段を適用してもよい。
【００６４】
また、本実施形態において、フレーム信号を受信した撮像素子１２は１フレームの画像信号を生成するが、１フィールドの画像信号を生成する構成であっても、本実施形態と同様の効果を得ることが可能である。
【００６５】
また、本実施形態において、フレーム信号の周波数は３０Ｈｚと１５Ｈｚとのいずれかに切替えられる構成であるが、３０Ｈｚと１５Ｈｚとに限定されるわけではない。省エネ動作を実行するときの周波数が通常動作を実行するときの周波数より低い場合は、本実施形態と同様の効果を得ることが可能である。
【図面の簡単な説明】
【００６６】
【図１】本発明の一実施形態を適用した撮像素子制御ユニットを有するデジタルカメラの内部構成を概略的に示すブロック図である。
【図２】省エネ機能を実行させるために行なわれる処理を説明するためのフローチャートである。
【符号の説明】
【００６７】
１０  デジタルカメラ
１１  撮影光学系
１２  撮像素子
１３  ＡＦＥ（Ａｎａｌｏｇ  Ｆｒｏｎｔ  Ｅｎｄ）
１４  ＤＳＰ（Ｄｉｇｉｔａｌ  Ｓｉｇｎａｌ  Ｐｒｏｃｅｓｓｏｒ）
１５  操作入力部
１６  防振機構
１７  防振機構駆動部
１８  ズーム駆動部
【図１】
2007228015.tif 000003
【図２】
2007228015.tif 000004